(57)【特許請求の範囲】
【請求項１】
一端に開口した感知器カバー、前記感知器カバー内に配置される感知器本体、及び前記感知器カバー内に前記感知器本体を着脱自在に取り付ける取付構造を備えた感知器と、
前記感知器カバーの開口から内部に配置された前記感知器本体に向けて押し込まれることで、前記感知器の取付構造による取り付けを解除して前記感知器カバーから前記感知器本体を取り外す取外構造を備えた取外治具と、
前記取外治具が押し込まれて前記感知器の取付構造による前記感知器カバーと前記感知器本体の取付けが解除された場合に、前記取外治具と前記感知器本体を着脱自在に連結する連結構造と、
を備えたことを特徴とする感知器システム。
【請求項２】
請求項１記載の感知器システムに於いて、
前記感知器の取付構造は、
前記感知器カバーの内部に、前記感知器カバーの開口側に向けて起立して設けられた嵌合受け部材と、
前記感知器本体が前記感知器カバー内の所定の取付け位置に挿入された場合に、前記嵌合受け部材に嵌合する、前記感知器本体に設けられた嵌合爪部材と、
を備え、
前記取外治具の取外構造は、嵌合している前記嵌合受け部材と前記嵌合爪部材との間に押し込まれて当該嵌合を解除する取外爪部材を備えたことを特徴とする感知器システム。
【請求項３】
請求項１記載の感知器システムに於いて、
前記連結構造は、
前記感知器本体の治具押込み方向に起立して設けられた連結爪部材と、
前記取外治具の感知器押込み方向に起立して設けられた連結受け部材と、
を備え、
前記取外治具が前記感知器本体に向けて押し込まれた場合に、前記連結爪部材が前記連結受け部材に嵌合して連結し、当該連結による前記連結爪部材と前記連結受け部材部との嵌合が、前記感知器本体と前記取外治具との相対回転により解除されることを特徴とする感知器システム。
【請求項４】
請求項３記載の感知器システムに於いて、
前記取外治具の連結受け部材は、先端側に逆Ｌ形又はＬ形に延在した片持ち構造の連結受け部を備え、当該連結受け部が前記感知器本体の連結爪部材に嵌合して連結し、当該連結による前記連結爪部材と前記連結受け部との嵌合が、前記感知器本体と前記取外治具との相対回転により解除されることを特徴とする感知器システム。
【請求項５】
一端に開口した感知器カバーと、
前記感知器カバー内に配置される感知器本体と、
前記感知器カバー内に前記感知器本体を着脱自在に取付ける取付構造と、
取外治具により前記感知器カバーから前記感知器本体を取外した場合に、前記取外治具に前記感知器本体を着脱自在に連結する連結構造と、
を備え、
前記取付構造は、前記取外治具が前記感知器カバーの開口から内部に配置された前記感知器本体に向けて押し込まれることで、取付けが解除されて前記感知器カバーから前記感知器本体を取外し可能とし、
前記連結構造は、前記取外治具が押し込まれることで、前記取外治具に前記感知器本体を連結可能としたことを特徴とする感知器。
【請求項６】
請求項５記載の感知器に於いて、
前記取付構造は、
前記感知器カバーの内部に、前記感知器カバーの開口側に向けて起立して設けられた嵌合受け部材と、
前記感知器本体が前記感知器カバー内の所定の取付け位置に挿入された場合に、前記嵌合受け部材に嵌合する、前記感知器本体に設けられた嵌合爪部材と、
を備えたことを特徴とする感知器。
【請求項７】
一端に開口した感知器カバーと、前記感知器カバー内に配置される感知器本体と、前記感知器カバー内に前記感知器本体を着脱自在に取付ける取付構造とを備えた感知器を対象とし、前記取付構造による取付けを解除して前記感知器カバーから前記感知器本体を取り外す取外治具に於いて、
前記感知器カバーの開口から内部に配置した前記感知器本体に向けて押し込まれることで、前記取付構造による取付けが解除されて前記感知器カバーから前記感知器本体を取り外す取外爪部材と、
前記取外爪部材により前記感知器カバーから前記感知器本体が取外された場合に、治具本体と前記感知器本体を着脱自在に連結する連結構造と、
を備えたことを特徴とする取外治具。
【請求項８】
請求項７記載の取外治具に於いて、
前記連結構造は、治具本体の感知器押込み方向に起立して設けられた連結受け部材を備え、
前記取外治具が前記感知器本体に向けて押し込まれた場合に、前記感知器本体に設けられた連結爪部材が前記連結受け部材に嵌合して連結し、当該連結による前記連結爪部材と前記連結受け部材部との嵌合が、前記感知器本体と前記取外治具との相対回転により解除されることを特徴とする取外治具。
【請求項９】
請求項８記載の取外治具に於いて、
前記取外治具の連結受け部材は、先端側に逆Ｌ形又はＬ形に延在した片持ち構造の連結受け部を備え、当該連結受け部が前記感知器本体の連結爪部材に嵌合して連結し、当該連結による前記連結爪部材と前記連結受け部との嵌合が、前記感知器本体と前記取外治具との相対回転により解除されることを特徴とする取外治具。
【発明の詳細な説明】
【技術分野】
【０００１】
本発明は、感知器カバー内に感知器本体を着脱自在に配置した感知器を、取外治具を用いて分解する感知器システム、感知器及び取外治具に関する。
【背景技術】
【０００２】
従来、火災を検知した場合に火災信号を受信機に送信して火災警報を出力させる感知器は、監視区域の天井面に設けた感知器ベースに着脱自在に取り付けられており、定期的に点検を行う場合、感知器を感知器ベースから取外し、取外した感知器を分解して内部を清掃する場合がある。
【０００３】
従来の感知器は、感知器カバーの内部に感知器本体を組み付けており、感知器の清掃を行う場合には、感知器カバーから感知器本体を取外す作業を行っている。
【０００４】
感知器カバーの内部に感知器本体を組み付けている取付構造は、例えば感知器カバー内の外周側となる複数個所に、カバー開口側に向けて嵌合部材を起立して設けると共に、この嵌合部材に相対する感知器本体側に嵌合受け部材を設け、感知器本体を感知器カバーに位置合せして挿入する組立てを行った場合に、嵌合部材と嵌合受け部材を嵌合して抜け止め固定するようにしている。
【先行技術文献】
【特許文献】
【０００５】
【特許文献１】特開平２００６−２６７１２８号公報
【発明の概要】
【発明が解決しようとする課題】
【０００６】
しかしながら、このような従来の感知器にあっては、分解を考慮していなかったため、感知器カバーから感知器本体を取外す場合には、ドライバーなどの工具を使用し、複数個所の嵌合部材を押して嵌合受け部材から外すといった複雑な取外し作業を必要とし、この取外し作業に手間と時間がかかり、また取付け構造を傷付けたり破損したりする問題もあった。
【０００７】
また感知器カバーから感知器本体を取外す専用の取外治具も考えられているが、分解を考慮していなかったため、取外治具も複雑な構造となり、取外治具が高価になって普及せず、また取り外し方に工夫を必要とし、取外治具を使用しても位置合せや回転しながら行う取外し作業に特有のテクニックを必要とするという問題があった。
【０００８】
本発明は、感知器カバーから感知器本体を簡単且つ容易に取外し可能とする感知器システム、感知器及び取外治具を提供することを目的とする。
【課題を解決するための手段】
【０００９】
（感知器システム）
本発明は、感知器システムに於いて、
一端に開口した感知器カバー、感知器カバー内に配置される感知器本体、及び感知器カバー内に感知器本体を着脱自在に取り付ける取付構造を備えた感知器と、
感知器カバーの開口から内部に配置された感知器本体に向けて押し込まれることで、感知器の取付構造による取り付けを解除して感知器カバーから感知器本体を取り外す取外構造を備えた取外治具と、
取外治具が押し込まれて感知器の取付構造による感知器カバーと感知器本体の取付けが解除された場合に、取外治具と感知器本体を着脱自在に連結する連結構造と、
を備えたことを特徴とする。
【００１０】
ここで、感知器の取付構造は、
感知器カバーの内部に、感知器カバーの開口側に向けて起立して設けられた嵌合受け部材と、
感知器本体が感知器カバー内の所定の取付け位置に挿入された場合に、嵌合受け部材に嵌合する、感知器本体に設けられた嵌合爪部材と、
を備え、
取外治具の取外構造は、嵌合している嵌合受け部材と嵌合爪部材との間に押し込まれて当該嵌合を解除する取外爪部材を備える。
【００１２】
連結構造は、
感知器本体の治具押込み方向に起立して設けられた連結爪部材と、
取外治具の感知器押込み方向に起立して設けられた連結受け部材と、
を備え、
取外治具が感知器本体に向けて押し込まれた場合に、連結爪部材が連結受け部材に嵌合して連結し、当該連結による連結爪部材と連結受け部材部との嵌合が、感知器本体と取外治具との相対回転により解除される。
【００１３】
取外治具の連結受け部材は、先端側に逆Ｌ形又はＬ形に延在した片持ち構造の連結受け部を備え、当該連結受け部が感知器本体の連結爪部材に嵌合して連結し、当該連結による連結爪部材と連結受け部との嵌合が、感知器本体と取外治具との相対回転により解除される。
【００１４】
（感知器）
本発明は、
一端に開口した感知器カバーと、
感知器カバー内に配置される感知器本体と、
感知器カバー内に感知器本体を着脱自在に取付ける取付構造と、
取外治具により感知器カバーから感知器本体を取外した場合に、取外治具に感知器本体を着脱自在に連結する連結構造と、
を備え、
取付構造は、取外治具が感知器カバーの開口から内部に配置された感知器本体に向けて押し込まれることで、取付けが解除されて感知器カバーから感知器本体を取外し可能とし、
連結構造は、取外治具が押し込まれることで、取外治具に感知器本体を連結可能としたことを特徴とする。
【００１５】
ここで、取付構造は、
感知器カバーの内部に、感知器カバーの開口側に向けて起立して設けられた嵌合受け部材と、
感知器本体が感知器カバー内の所定の取付け位置に挿入された場合に、嵌合受け部材に嵌合する、感知器本体に設けられた嵌合爪部材と、
を備える。
【００１７】
（取外治具）
本発明は、一端に開口した感知器カバー、感知器カバー内に配置される感知器本体、及び感知器カバー内に感知器本体を着脱自在に取付ける取付構造とを備えた感知器を対象とし、取付構造による取付けを解除して感知器カバーから感知器本体を取り外す取外治具に於いて、
感知器カバーの開口から内部に配置した感知器本体に向けて押し込まれることで、取付構造による取付けが解除されて感知器カバーから感知器本体を取り外す取外爪部材と、
取外爪部材により感知器カバーから感知器本体が取外された場合に、治具本体と感知器本体を着脱自在に連結する連結構造と、
を備えたことを特徴とする。
【００１９】
連結構造は、治具本体の感知器押込み方向に起立して設けられた連結受け部材を備え、
取外治具が感知器本体に向けて押し込まれた場合に、感知器本体に設けられた連結爪部材が連結受け部材に嵌合して連結し、当該連結による連結爪部材と連結受け部材部との嵌合が、感知器本体と取外治具との相対回転により解除される。
【００２０】
取外治具の連結受け部材は、先端側に逆Ｌ形又はＬ形に延在した片持ち構造の連結受け部を備え、当該連結受け部が感知器本体の連結爪部材に嵌合して連結し、当該連結による連結爪部材と連結受け部との嵌合が、感知器本体と取外治具との相対回転により解除される。
【発明の効果】
【００２１】
本発明によれば、感知器カバー内に感知器本体を着脱自在に取付ける分解を考慮した取付構造を備えた感知器に対し、取外治具を感知器カバーの開口から内部に組み込み固定した感知器本体に向けて押し込む所謂ワンタッチ操作により感知器を分解して感知器カバーから感知器本体を簡単且つ容易に取り外すことができ、定期点検等に伴って行う清掃のために感知器を分解する作業の作業効率を向上し、また分解作業に伴う感知器の傷付けや破損を確実に防止することができる。
【００２２】
また取外治具のワンタッチ操作により感知器を分解して感知器カバーから感知器本体を取り外す場合、取外治具に感知器本体が連結し、感知器本体を取外治具に連結した状態で感知器カバーから簡単に取り出すことができる。更に、取外治具に連結している感知器本体は、連結を解除する方向に相対回転することで、取外治具から感知器本体を簡単に取り外すことができる。
【００２３】
また取外治具は、その取外構造が簡単であるため、モールド金型成形による量産が可能であり、安価な治具の提供を可能とする。
【図面の簡単な説明】
【００２４】
【図１】本発明が対象とする感知器の外観を示した説明図
【図２】図１の感知器の平面を示した説明図
【図３】図２のＡ−Ａ断面により内部構造を示した説明図
【図４】図２のＢ−Ｂ断面により内部構造を示した説明図
【図５】感知器カバーと感知器本体を分解して示した説明図
【図６】感知器カバーの内部を開口側から見た平面で示した説明図
【図７】感知器本体を平面で示した説明図
【図８】本発明で用いる取外治具の外観を示した説明図
【図９】図８の取外治具を下側から見て示した説明図
【図１０】図８の取外治具を下側から見て示した平面図
【図１１】感知器に取外治具を押し込む様子を示した説明図
【図１２】感知器に取外治具を押し込んで取付構造を解除した状態を示した説明図
【図１３】取外治具により感知器本体を感知器カバーから取出した状態を示した説明図
【図１４】感知器に取外治具を押し込む様子を感知器本体との連結位置について示した説明図
【図１５】感知器に取外治具を押し込む様子を図１４の側面から見て示した説明図
【図１６】感知器に取外治具を押し込んで感知器本体に連結した状態を示した説明図
【図１７】取外治具に連結した感知器本体を感知器カバーから取出した状態を示した説明図
【発明を実施するための形態】
【００２５】
［感知器システムの概略］
本発明の感知器システムは、感知器カバーの内部に感知器本体を着脱自在に取付けた分解を考慮した取付構造の感知器（火災感知器）と、この感知器における感知器カバーから感知器本体を取外すための取外治具で構成する。以下、感知器、取外治具、取外動作の順に実施形態を説明する。
【００２６】
［感知器の構成］
図１に示すように、本発明が対象とする感知器１０は、感知器カバー１２と感知器本体１４で構成し、感知器カバー１２の内部に感知器本体１４を分解を考慮して着脱自在に取付けている。
【００２７】
感知器カバー１２は図示上方に開口した略椀状の収納体であり、図示の下部外周に煙流入口１６を形成し、内部に配置した感知器本体１４の検煙部に火災伴う煙を導入するようにしている。また感知器カバー１２及び感知器本体１４は、モールド金型成形した合成樹脂性の部材及び又はその組み立て体である。
【００２８】
図２は図１の感知器１０を図示上方から見た平面図であり、感知器カバー１２の開口から内部に感知器本体１４を組み込んだ状態で取付固定している。感知器本体１４は３箇所にＬ形に屈曲した端子金具３２を配置しており、この端子金具３２により監視領域の天井面に固定している感知器ベース（図示せず）に押し当てて回し込むことで、電気的且つ機械的に接続できる。
【００２９】
図３は図２のＡ−Ａ断面により内部構造を示した説明図である。感知器カバー１２は図示上方に開口しており、全体として略椀状であるが、その略中央で下側を絞り込んで段部を形成しており、下側外周に煙を導入する煙流入口１６を形成している。
【００３０】
感知器カバー１２の段部内側には、図示上部の開口側に向けて嵌合受け部材１８を起立して設けている。嵌合受け部材１８は内側に嵌合凹部２０を形成している。
【００３１】
感知器本体１４は図示上側の径の大きい回路収納部１４ａとその下側の径の小さい検煙部１４ｂで構成し、回路収納部１４ａには感知器回路を実装した回路基板１５を収納している。感知器本体１４の検煙部１４ｂは、公知の散乱光式煙検出構造、例えば前記特許文献１に示した構造を設けている。
【００３２】
この散乱光式検煙構造は、内部に検煙室を形成し、そこに発光部と受光部を設け、煙流入口１６から検煙室に流入した煙に発光部からの光が当たった場合に生ずる散乱光を受光部で受光して電気信号に変換して受光信号を出力し、この受光信号に基づいて火災を検知する。また検煙部１４ｂの外周には防虫網１７を設け、防虫網１７の内側に、煙を通すが外部からの光を遮断するラビリンス構造（図示せず）を設けている。
【００３３】
感知器本体１４の回路収納部１４ａの外周側には嵌合爪部材２２を図示横方向に突出して形成し、また嵌合爪部材２２の内側にガイドリブ２４を起立している。
【００３４】
嵌合受け部材１８は、図２に示したように、感知器カバー１２内の円周方向の４箇所に設け、これに対応して感知器本体１４の嵌合爪部材２２も回路収納部１４ａの外周の４箇所に設けている。
【００３５】
感知器カバー１２内に感知器本体１４を組み付けた場合、感知器カバー１２の内側に起立して設けた嵌合受け部材１８の嵌合凹部２０に、感知器本体１４に設けた嵌合爪部材２２が嵌合して抜け止め固定する。
【００３６】
このように、カバー開口側に向けて起立して感知器カバー１２内に設けた嵌合凹部２０を形成した嵌合受け部材１８と、嵌合受け部材１８の嵌合凹部２０に嵌合する感知器本体１４に設けた嵌合爪部材２２とで、本発明の感知器１０の感知器カバー１２内に感知器本体１４を着脱自在に取付ける分解を考慮した取付構造を構成する。
【００３７】
図４は図２のＢ−Ｂ断面を示した説明図である。感知器本体１４における回路収納部１４ａの外周には、図示上部の開口側に向けて連結爪部材２６を起立して設けている。連結爪部材２６は、後述する取外治具１００に感知器本体１４を連結する感知器本体１４側の連結構造を構成する。連結爪部材２６は、図２に示すように、感知器本体１４の外周側の相対した２箇所に設けている。
【００３８】
図５は図３と同じ断面で示した感知器カバー１２と感知器本体１４の組立分解図である。感知器カバー１２の中に感知器本体１４を組み付ける場合、感知器カバー１２内に起立して設けている嵌合受け部材１８に、感知器本体１４側の嵌合爪部材２２を相対するように位置を合せし、この状態で感知器カバー１２に感知器本体１４を組み込むことで、図３に示したように、感知器カバー１２内に感知器本体１４を抜け止め固定することができる。この場合の組み付け作業は、感知器本体１４を感知器カバー１２に位置合せして嵌め入れるという簡単な作業で組み付けることができる。
【００３９】
図６は感知器カバー１２をその開口側から見て示した平面図であり、段部内側の４箇所に分けて嵌合受け部材１８を起立して設けている。また感知器カバー１２の開口内側の３箇所に分けて位置決め溝２８を設け、感知器本体１４に設けた位置決めリブ３４（図７参照）を嵌め入れることで、感知器カバー１２に対する感知器本体１４の取付位置を一義的に決めている。
【００４０】
図７は感知器本体１４を、図６の感知器カバー１２と同様、その開口側から見て示した平面図であり、感知器本体１４の外周の４箇所に分けて嵌合爪部材２２を突出して設けている。嵌合爪部材２２に対しては、嵌合爪部材２２を囲んでガイド枠３０を設け、ガイド枠３０の中に、図６に示す感知器カバー１２の嵌合受け部材１８を通すように組み込むことで、嵌合爪部材２２を嵌合受け部材１８の嵌合凹部２０（図３参照）に嵌合するようにしている。また嵌合爪部材２２の内側にはガイドリブ２４を起立して設け、後述する取外治具１００に設けた取外爪部材１０６（図９参照）を、嵌合爪部材２２と嵌合受け部材１８の嵌合部分に案内するようにしている。
【００４１】
［取外治具の構成］
本発明による取外治具は、図１乃至図７に示した感知器１０の取付構造による取付けを解除（分解）して感知器カバー１２から感知器本体１４を取り外す取外構造を備える。
【００４２】
図８は本発明で用いる取外治具１００の外観を示した説明図である。図８において、取外治具１００は、リング状の治具本体１０２の上部にハンドル１０４を設け、治具本体１０２の下側に、後述する取外構造を設けている。また治具本体１０２の上面にはマーカ１０５を設け、マーカ１０５を図２に示した感知器本体１４の上面に設けたマーカ２５に合せることで、感知器１０に対する取外治具１００の位置決めを可能としている。なお、感知器本体１４のマーカ２５以外に、感知器カバー１２の外周に設けたベース位置決め用リブ２７に、治具本体１０２のマーカ１０５を合せることで、感知器１０に対する取外治具１００の位置決めをすることもできる。
【００４３】
図９は取外治具１００を下側から見た説明図であり、治具本体１０２の下側に、治具側の取外構造として、４箇所に分けて図示下向きに取外爪部材１０６を起立して設けている。取外爪部材１０６は外側をテーパ面とした楔形状としている。
【００４４】
また治具本体１０２の下側には、感知器カバー１２から取外した感知器本体１４を保持するための治具側の連結構造として、相対する２箇所に分けて連結受け部材１０８を起立して設けている。連結受け部材１０８は外側から見て先端を略逆Ｌ形とした片持ち形状であり、片持ち形状の先端部を連結受け部１１０としている。
【００４５】
また連結受け部材１０８には外側に張り出した外側ガイドリブ１１２と、内側に張り出した内側ガイドリブ１１４を一体に形成する。外側ガイドリブ１１２は外側に位置する感知器カバー１２の内壁に対する位置決めを行い、内側ガイドリブ１１４は内側に位置する感知器本体１４の外壁に対する位置決めを行うようにしている。
【００４６】
図１０は取外治具１００の治具本体１０２を下側から見て示した平面図であり、４箇所に分けて取外爪部材１０６を設け、また２箇所に分けて連結受け部１１０を備えた連結受け部材１０８を設けている。
【００４７】
図８乃至図１０に示した構造の取外治具１００は、合成樹脂を材料としたモールド金型成形により製造することができ、量産できることで、安価に提供することができる。
【００４８】
［取外治具を用いた感知器本体の取外し操作］
本発明にあっては、図８乃至図１０に示した取外治具１００を使用して、図１乃至図４に示した感知器１０を分解して感知器カバー１２から感知器本体１４を所謂ワンタッチ操作で取外すことを可能とする。
【００４９】
（取付構造の嵌合解除）
図１１は感知器１０に対し取外治具１００の押し込む様子を示した説明図である。取外治具１００のマーカ１０５（図８参照）を感知器１０に組み込んでいる感知器本体１４のマーカ２５（図２参照）に合せるように位置決めすると、図１１に示すように、取外治具１００の取外爪部材１０６が、感知器１０における感知器カバー１２と感知器本体１４の嵌合構造である感知器カバー１２側の嵌合受け部材１８に相対し、この状態で取外治具１００を感知器カバー１２の中へ押し込む。
【００５０】
図１２は感知器１０に取外治具１００を押し込んで取付構造を解除した状態を示した説明図である。取外治具１００の取外爪部材１０６は、ガイドリブ２４に案内されながら押し込まれ、取外爪部材１０６のテーパ面により感知カバー１２内に起立して設けた嵌合受け部材１８を外側に押し倒すように変形し、嵌合受け部材１８の内側の嵌合凹部２０を、感知器本体１４の嵌合爪部材２２から引き外し、取付構造における嵌合を解除する。
【００５１】
図１３は取外治具１００により感知器本体１４を感知器カバー１２から取出した状態を示した説明図であり、図１２に示したように、取外治具１００を感知器１０に押し込んで感知器カバー１２に対する感知器本体１４の取付けを解除し、続いて、取外治具１００を図示上方に引き上げることで、感知器本体１４を取外治具１００の下側に連結した状態で取り出すことができる。
【００５２】
このように取外治具１００を感知器１０に押し込んで引き上げるという簡単な所謂ワンタッチ操作により、感知器１０を分解して感知器カバー１２の中から感知器本体１４を簡単に取り外すことができる。
【００５３】
（取外治具と感知器本体の連結と連結解除）
図１４は感知器１０に取外治具１００を押し込む様子を感知器本体１４との連結位置について示した説明図である。図１１に示したように、取外治具１００の取外爪部材１０６を感知器１０に位置合せして押し込む場合、図１４に示すように、取外治具１００の連結受け部材１０８は、感知器カバー１２内に取付けている感知器本体１４の連結爪部材２６に相対した位置にある。
【００５４】
図１５は感知器に取外治具１００を押し込む様子を図１４の側面から見て示した説明図であり、取外治具１００の下側に設けた連結受け部材１０８の先端に設けた片持ち形状の連結受け部１１０は、感知器本体１４に起立して設けた連結爪部材２６と相対した位置関係となっている。
【００５５】
この図１４及び図１５に示す位置合せ状態で、取外治具１００を感知器１０に押し込むと、図１６に示すように、取外治具１００の連結受け部材１０８に形成した連結受け部１１０は、感知器本体１４に起立して設けた連結爪部材２６に嵌合する。この場合、図１２に示したように、取外治具１００の取外爪部材１０６により感知器カバー１２に対する感知器本体１４の取り付けは解除していることから、図１７のように、取外治具１００を引き上げることで、取外治具１００の下側に感知器本体１４を連結保持した状態で感知器カバー１２から取り出すことかできる。
【００５６】
続いて感知器本体１４を手で押さえて固定した状態で、取外治具１００を上から見て反時計回りに回すと、感知器本体１４の連結爪部材２６への押し込みにより嵌合している取外治具１００の連結受け部１１０（図１５参照）が、取外治具１００の回動に伴い連結爪部材２６から外れて連結を解除し（連結受け部１１０を外す方向は図１５を参照）、取外治具１００から感知器本体１４を取り外すことができる。
【００５７】
［本発明の変形例］
なお、上記の実施形態は、感知器本体に、散乱光式検煙構造を設けた場合を例にとるが、火災に伴う熱やＣＯを検知する構造としてもよい。
【００５８】
また、取外治具と感知器本体の連結構造にあっては、連結受け部材の先端に片持ち形状として設けた連結受け部を逆Ｌ形としているが、Ｌ形としても良い。この場合は、取外治具と感知器本体の連結解除する回転方向が逆Ｌ形の場合と逆方向になる。
【００５９】
また上記の実施形態における感知器カバーと感知器本体の取付構造は、感知器カバーに嵌合受け部材を設け、感知器本体に嵌合爪部材を設けているが、逆に、感知器カバーに嵌合爪部材を設け、感知器本体に嵌合受け部材を設けた取付構造としても良い。
【００６０】
この点は取外治具と感知器本体の連結構造においても同様であり、上記の実施形態では、取外治具に連結受け部材を設け、感知器本体に連結爪部材を設けているが、逆に、取外治具に連結爪部材を設け、感知器本体に連結受け部材を設けた連結構造としても良い。
【００６１】
また、上記の実施形態は、感知器と取外治具で構成した感知器システムであるが、上記の実施形態は本発明が対象とする感知器の実施形態及び取外治具の実施形態を併せて示している
また、本発明は、その目的と利点を損なうことのない適宜の変形を含み、更に、上記の実施形態に示した数値による限定は受けない。
【符号の説明】
【００６２】
１０：感知器
１２：感知器カバー
１４：感知器本体
１６：煙流入口
１８：嵌合受け部材
２０：嵌合凹部
２２：嵌合爪部材
２４：ガイドリブ
２５，１０５：マーカ
２６：連結爪部材
２８：位置決め溝
３０：ガイド枠
３２：端子金具
３４：位置決めリブ
１００：取外治具
１０２：治具本体
１０４：ハンドル
１０６：取外爪部材
１０８：連結受け部材
１１０：連結受け部
１１２：外側ガイドリブ
１１４：内側ガイドリブ
【図１】
0006022801.tif 000002
【図２】
0006022801.tif 000003
【図３】
0006022801.tif 000004
【図４】
0006022801.tif 000005
【図５】
0006022801.tif 000006
【図６】
0006022801.tif 000007
【図７】
0006022801.tif 000008
【図８】
0006022801.tif 000009
【図９】
0006022801.tif 000010
【図１０】
0006022801.tif 000011
【図１１】
0006022801.tif 000012
【図１２】
0006022801.tif 000013
【図１３】
0006022801.tif 000014
【図１４】
0006022801.tif 000015
【図１５】
0006022801.tif 000016
【図１６】
0006022801.tif 000017
【図１７】
0006022801.tif 000018